(57)【要約】【課題】ヘッドとシャフトにおけるシャフト交換に用いるゴルフクラブのシャフト交換ジョイント構造を提供する。【解決手段】ソケットと、シャフトスリーブと、位置決め機構と、スクリューと、テーパパッドとを含む。ソケットはヘッドに設けられ、テーパ溝を含み、かつテーパ溝の内径が小さい一端は、ソケット内部においてフランジを形成する。シャフトスリーブはソケットに入れ、その一端はシャフトに接続して固定し、他端はねじ穴を有し、テーパ状をなし、かつその外部には少なくとも１つの位置決め溝を有する。位置決め機構はヘッド内に入れ、少なくとも１つの位置決めブロックを含み、シャフトスリーブの位置決め溝は、位置決めと固定のために、位置決めブロックに対応する。スクリューは、シャフトスリーブのねじ穴と螺合し、フランジに当接し、シャフトスリーブのシャフトに螺着して接続する。テーパパッドは、シャフトスリーブのテーパ状の一端とソケットのテーパ溝との間に置く。【選択図】図３
0003143145.tif 000002
【実用新案登録請求の範囲】
【請求項１】
ゴルフクラブのヘッドとシャフトにおけるシャフト交換に応用するゴルフクラブのシャフト交換ジョイント構造において、
前記ヘッドに設けられ、内部にあるテーパ溝を含み、かつ前記テーパ溝の内径が小さい一端は、内部において第１フランジを形成するソケットと、
前記ソケットに入れ、その一端は前記シャフトに接続して固定し、他端はねじ穴を有し、前記ねじ穴を有する一端は、前記ソケット内部の前記テーパ溝に対応してテーパ状をなし、かつ外部にはさらに少なくとも１つの位置決め溝を有するシャフトスリーブと、
前記ヘッド内に入れ、少なくとも１つの位置決めブロックを含み、前記シャフトスリーブを前記ソケットに入れる際に、前記シャフトスリーブの前記位置決め溝は、位置決めと固定のために前記位置決めブロックに対応する位置決め機構と、
前記シャフトスリーブの前記ねじ穴と螺合し、前記第１フランジに当接して、前記シャフトスリーブの前記シャフトに螺着して接続するスクリューと、
前記テーパ状の前記シャフトスリーブの一端と前記ソケットの前記テーパ溝との間に置くテーパパッドと、
を含む、ゴルフクラブのシャフト交換ジョイント構造。
【請求項２】
前記ソケットと前記ヘッドとを一体成形した請求項１に記載のゴルフクラブのシャフト交換ジョイント構造。
【請求項３】
前記ソケットを前記ヘッドに接合した請求項１に記載のゴルフクラブのシャフト交換ジョイント構造。
【請求項４】
前記シャフトスリーブは前記シャフトに対応した収容スペースを有し、前記シャフトを前記収容スペースに入れ、かつ前記シャフトスリーブに接着した請求項１に記載のゴルフクラブのシャフト交換ジョイント構造。
【請求項５】
前記シャフトスリーブは前記シャフトに対応した収容スペースを有し、前記シャフトを前記収容スペースに入れ、かつ前記シャフトスリーブに溶着した請求項１に記載のゴルフクラブのシャフト交換ジョイント構造。
【請求項６】
前記位置決め機構を環状とし、前記位置決めブロックをブロック状の突起とし、かつ前記位置決め機構の内側に前期位置決めブロックを配置する請求項１に記載のゴルフクラブのシャフト交換ジョイント構造。
【請求項７】
前記ソケット外表面に雄ねじ山を有し、前記環状の前記位置決め機構と前記テーパパッドを順番に前記ヘッド内に入れ、かつ前記位置決め機構を前記ヘッド内の第２フランジに当接した後、前記ソケットを前記ヘッドに入れ、前記雄ねじ山を利用して前記ヘッド内の雌ねじ山と螺合する請求項６に記載のゴルフクラブのシャフト交換ジョイント構造。
【請求項８】
前記位置決め機構を管状とし、前記位置決めブロックをブロック状の突起とし、かつ前記管状の前記位置決め機構の一端の内側に前記位置決めブロックを配置する請求項１に記載のゴルフクラブのシャフト交換ジョイント構造。
【請求項９】
前記ソケット外表面に雄ねじ山を有し、前記テーパパッドを前記ヘッド内に入れ、かつ前記テーパパッドを前記位置決め機構に当接した後、前記ソケットを前記ヘッドに入れ、前記雄ねじ山を利用して前記ヘッド内の雌ねじ山と螺合する請求項８に記載のゴルフクラブのシャフト交換ジョイント構造。
【請求項１０】
ゴルフクラブのヘッドとシャフトにおけるシャフト交換に応用するゴルフクラブのシャフト交換ジョイント構造において、
前記ヘッドに固設し、内部の一端はテーパ溝を含み、前記テーパ溝の内径が小さい一端は、内部においてフランジを形成し、かつ前記フランジ内側は少なくとも１つの位置決めブロックを有する位置決め機構と、
一端は前記シャフトに接続して固定し、他端は雄ねじ山と、少なくとも１つの位置決め溝とを有し、前記位置決め機構に入れ、前記フランジに当接し、かつ前記位置決め溝は、位置決めと固定のために前記位置決めブロックに対応するシャフトスリーブと、
外部は前記位置決め機構の前記テーパ溝に対応してテーパ状をなし、かつ外径が小さい一端はねじ穴を含み、前記ねじ穴は前記シャフトスリーブの前記雄ねじ山と螺合し、前記シャフトスリーブの前記シャフトに螺着して接続するスクリューと、
前記テーパ状の前記スクリューと前記位置決め機構の前記テーパ溝との間に置くテーパパッドと、
を含むゴルフクラブのシャフト交換ジョイント構造。
【請求項１１】
前記位置決め機構を前記ヘッド内に接着した請求項１０に記載のゴルフクラブのシャフト交換ジョイント構造。
【請求項１２】
前記位置決め機構を前記ヘッド内に溶着した請求項１０に記載のゴルフクラブのシャフト交換ジョイント構造。
【請求項１３】
前記シャフトスリーブは前記シャフトに対応した収容スペースを有し、前記シャフトを前記収容スペースに入れ、かつ前記シャフトスリーブに接着した請求項１０に記載のゴルフクラブのシャフト交換ジョイント構造。
【請求項１４】
前記シャフトスリーブは前記シャフトに対応した収容スペースを有し、前記シャフトを前記収容スペースに入れ、かつ前記シャフトスリーブに溶着した請求項１０に記載のゴルフクラブのシャフト交換ジョイント構造。
【考案の詳細な説明】
【技術分野】
【０００１】
ゴルフクラブのシャフト交換ジョイント構造に関し、特に、ゴルフクラブのヘッドとシャフトにおけるシャフト交換に応用するシャフト交換ジョイント構造に関する。
【背景技術】
【０００２】
ゴルフが盛んになることに伴い、ゴルフクラブの構造や材料は日々進歩している。
ゴルフクラブの開発製造者は、ゴルフクラブをすべての使用者のニーズに合わせることができて、かつ使用者が様々な打撃状況に基づいて適切なヘッドとシャフトの組み合わせを選択できるように、迅速なシャフト交換機能を有するゴルフクラブを積極的に開発している。
【０００３】
図１に、特許文献１で開示されている公知のゴルフクラブのシャフト交換ジョイント構造の概要図を示す。
迅速なシャフト交換機能を有するゴルフクラブ１０は、ヘッド１２とシャフト１４とを備える。
ヘッド１２及びシャフト１４は、シャフト交換ジョイント構造１６を介して迅速なシャフト交換を行うことができる。
従来のシャフト交換ジョイント構造１６は、シャフトスリーブ１８と、ソケット２０と、スクリュー２２とを含む。
シャフトスリーブ１８のその一端に開口部２４を有し、この開口部２４にシャフト１４を入れて接着により結合してシャフトスリーブ１８と固定する。
ソケット２０はヘッド１２に嵌合して、ヘッド１２の中に接着により固定する。
そして、シャフトスリーブ１８をソケット２０に貫入した後、ボルト等のスクリュー２２で以ってシャフトスリーブ１８をソケット２０に螺着することで、ヘッド１２に対してシャフト１４を迅速に交換できるようになっている。
【特許文献１】米国特許第７０８３５２９号明細書
【考案の開示】
【考案が解決しようとする課題】
【０００４】
しかし、シャフトスリーブ１８をソケット２０に入れる際に、ソケット２０の素地だけで位置決めするため、素地が変化し、接続不具合が発生しやすい。また、シャフトスリーブ１８は、その外表面とソケット２０の内表面との緊密な接触を利用して回転防止の機能を達成するが、加工精度がよくなければシャフトスリーブ１８の外表面とソケット２０の内表面に所定の緊密な接触をもたせることができなくなり、公知のゴルフクラブ１０のヘッド１２とシャフト１４の回転防止力を大幅に低下させる。
【課題を解決するための手段】
【０００５】
これに鑑み、前記の課題を解決するため、本考案は、位置決め機構を利用してシャフトスリーブの位置決めと固定を行い、かつテーパパッドをテーパ状のシャフトスリーブの一端とソケットのテーパ溝との間に置くことによって、シャフトスリーブとソケットの位置決めと固定をしやすくし、回転防止力を増加させるゴルフクラブのシャフト交換ジョイント構造を提供する。
【０００６】
前記目的を達成するため、本考案は、ゴルフクラブのヘッドとシャフトにおけるシャフト交換に応用するゴルフクラブのシャフト交換ジョイント構造を提供する。本考案のゴルフクラブのシャフト交換ジョイント構造は、ソケットと、シャフトスリーブと、位置決め機構と、スクリューと、テーパパッドとを含む。ソケットはヘッドに設けられ、ソケット内部にあるテーパ溝を含み、かつテーパ溝の内径が小さい一端は、ソケット内部において第１フランジを形成する。シャフトスリーブはソケットに入れ、その一端はシャフトに接続して固定し、他端はねじ穴を有し、シャフトスリーブのねじ穴を有する一端は、ソケット内部のテーパ溝に対応してテーパ状をなす。またシャフトスリーブ外部には、さらに少なくとも１つの位置決め溝を有する。位置決め機構はヘッド内に入れ、位置決め機構は少なくとも１つの位置決めブロックを備える。シャフトスリーブはソケットに入れ、シャフトスリーブの位置決め溝は、位置決めと固定のために、位置決めブロックに対応していなければならない。スクリューは、シャフトスリーブのねじ穴と螺合し、第１フランジに当接し、シャフトスリーブのシャフトに螺着して接続する。テーパパッドは、テーパ状のシャフトスリーブの一端とソケットのテーパ溝との間に置く。
【０００７】
前記目的を達成するため、本考案は、ゴルフクラブのヘッドとシャフトにおけるシャフト交換に応用するゴルフクラブのシャフト交換ジョイント構造をさらに提供する。本考案のゴルフクラブのシャフト交換ジョイント構造は、位置決め機構と、シャフトスリーブと、スクリューと、テーパパッドとを含む。位置決め機構は、ヘッドに固設され、位置決め機構の内部の一端は、テーパ溝を含む。テーパ溝の内径が小さい一端は、位置決め機構内部においてフランジを形成し、かつフランジの内側は、少なくとも１つの位置決めブロックを有する。シャフトスリーブの一端は、シャフトに接続して固定し、他端は雄ねじ山と、少なくとも１つの位置決め溝とを有する。シャフトスリーブは位置決め機構に入れフランジに当接し、かつ位置決め溝は、位置決めと固定のために、位置決めブロックに対応していなければならない。スクリューの外部はテーパ状をなし、位置決め機構のテーパ溝に対応し、かつスクリューの外径が小さい一端は、ねじ穴を含む。スクリューのねじ穴は、シャフトスリーブの雄ねじ山と螺合し、シャフトスリーブのシャフトに螺着して接続する。テーパパッドは、テーパ状のスクリューと位置決め機構のテーパ溝との間に置く。
【考案の効果】
【０００８】
本考案のゴルフクラブのシャフト交換ジョイント構造は、位置決め機構を利用してシャフトスリーブの位置決めと固定を行う。またテーパパッドをテーパ状のシャフトスリーブの一端とソケットのテーパ溝との間に置くことによって、シャフトスリーブとソケットの位置決めと固定をしやすくし、回転防止力を増加させる。
【考案を実施するための最良の形態】
【０００９】
本考案の目的、構造及びその機能をさらに理解できるようにするため、関連実施例及び図面の詳細な説明により、次のとおり説明する。
【００１０】
図２及び図３は、それぞれ本考案の第１実施例のゴルフクラブのシャフト交換ジョイント構造の分解立体図及び本考案の第１実施例のゴルフクラブのシャフト交換ジョイント構造を応用してヘッドとシャフトを結合した断面図である。本考案の第１実施例のゴルフクラブのシャフト交換ジョイント構造３０は、ゴルフクラブのヘッド３２とシャフト３４におけるシャフト交換に応用する。ソケット３６と、シャフトスリーブ３８と、位置決め機構４０と、スクリュー４２と、テーパパッド４４とを含む。
【００１１】
ソケット３６は、ヘッド３２と一体成形することも、接合によりヘッド３２に設けることもでき、第１フランジ４６と、テーパ溝４８とを有する。テーパ溝４８はソケット３６内部にあり、かつテーパ溝４８の内径が小さい一端は、ソケット３６内部において第１フランジ４６を形成する。第１フランジ４６は当接面５０を有し、位置決め孔５２は当接面５０の中にある。
【００１２】
シャフトスリーブ３８はソケット３６に入れ、その一端はシャフト３４に接続して固定し、他端はねじ穴５４を有する。シャフトスリーブ３８のねじ穴５４を有する一端は、ソケット３６内部のテーパ溝４８に対応してテーパ５６状をなし、かつシャフトスリーブ３８外部には、さらに少なくとも１つの位置決め溝５８を有する。また、シャフトスリーブ３８は、シャフト３４に対応して収容スペース６０を有し、シャフト３４は収容スペース６０に入れ、かつシャフトスリーブ３８に接着又は溶着する。
【００１３】
位置決め機構４０は、鉄、ステンレス鋼、純チタン、チタン合金、アルミニウム又はアルミニウム合金などの材質により構成されており、ヘッド３２内に入れ、接着又は溶着により固定することができ、かつシャフトスリーブ３８外部の位置決め溝５８に対応する少なくとも１つの位置決めブロック６２を含む。シャフトスリーブ３８をソケット３６に入れる際に、シャフトスリーブ３８の位置決め溝５８は、位置決めと固定のために、位置決めブロック６２に対応していなければならない。位置決め機構４０は管状をなし、位置決めブロック６２はブロック状の突起であり、かつ管状の位置決め機構４０の一端の内側に位置する。
【００１４】
スクリュー４２は、ねじの頭６４を有し、位置決め孔５２を介して位置決めされ、シャフトスリーブ３８のねじ穴５４と螺合する。またねじの頭６４が当接面５０を支えることによって、スクリュー４２が第１フランジ４６に当接し、シャフトスリーブ３８のシャフト３４に螺着して接続する。
【００１５】
テーパパッド４４は、鉄、ステンレス鋼、純チタン、チタン合金、アルミニウム又はアルミニウム合金などの材質により構成される。テーパ５６状のシャフトスリーブ３８の一端とソケット３６のテーパ溝４８との間に置き、スクリュー４２をきつく締めると、テーパパッド４４はシャフト３４とヘッド３２の回転防止力を提供する。
【００１６】
図４及び図５は、それぞれ本考案の第２実施例のゴルフクラブのシャフト交換ジョイント構造の分解立体図及び本考案び第２実施例のゴルフクラブのシャフト交換ジョイント構造を応用してヘッドとシャフトを結合した断面図である。本考案の第２実施例のゴルフクラブのシャフト交換ジョイント構造７０は、ゴルフクラブのヘッド７２とシャフト７４におけるシャフト交換に応用する。ソケット７６と、シャフトスリーブ７８と、位置決め機構８０と、スクリュー８２と、テーパパッド８４とを含む。
【００１７】
ソケット７６の外表面に雄ねじ山８６を有し、ヘッド７２に入れ、雄ねじ山８６を利用してヘッド７２内の雌ねじ山８８と螺合する。ソケット７６は、第１フランジ９０とテーパ溝９２とを含み、第１フランジ９０は、当接面９４と、当接面９４の中にある位置決め孔９６とを有する。テーパ溝９２はソケット７６内部にあり、かつ第１フランジ９０に近い側の内径は第１フランジ９０から離れた側の内径よりも小さい。
【００１８】
シャフトスリーブ７８はソケット７６に入れ、その一端はシャフト７４に接続して固定し、他端はねじ穴９８を有する。シャフトスリーブ７８のねじ穴９８を有する一端は、ソケット７６内部のテーパ溝９２に対応してテーパ１００状をなす。またシャフトスリーブ７８外部には、さらに少なくとも１つの位置決め溝１０２を有する。また、シャフトスリーブ７８は、シャフト７４に対応して収容スペース１０４を有し、シャフト７４は収容スペース１０４に入れ、かつシャフトスリーブ７８に接着又は溶着する。
【００１９】
位置決め機構８０は、鉄、ステンレス鋼、純チタン、チタン合金、アルミニウム又はアルミニウム合金などの材質により構成されており、ヘッド７２内に入れ、かつシャフトスリーブ７８外部の位置決め溝１０２に対応する少なくとも１つの位置決めブロック１０６を含む。シャフトスリーブ７８をソケット７６に入れる際に、シャフトスリーブ７８の位置決め溝１０２は、位置決めと固定のために、位置決めブロック１０６に対応していなければならない。位置決め機構８０は環状をなし、位置決めブロック１０６はブロック状の突起であり、かつ環状の位置決め機構８０の内側に位置する。
【００２０】
スクリュー８２は、ねじの頭１０８を有し、位置決め孔９６を介して位置決めされ、シャフトスリーブ７８のねじ穴９８と螺合する。またねじの頭１０８が当接面９４を支えることによって、シャフトスリーブ７８のシャフト７４に螺着して接続する。
【００２１】
テーパパッド８４は、鉄、ステンレス鋼、純チタン、チタン合金、アルミニウム又はアルミニウム合金などの材質により構成される。テーパ１００状のシャフトスリーブ７８の一端とソケット７６のテーパ溝９２との間に置き、スクリュー８２をきつく締めると、テーパパッド８４はシャフト７４とヘッド７２の回転防止力を提供する。
【００２２】
注意すべきことは、環状の位置決め機構８０とテーパパッド８４を順番にヘッド７２内に入れ、かつ位置決め機構８０をヘッド７２内の第２フランジ１１０に当接した後、ソケット７６をヘッド７２に入れ、雄ねじ山８６を利用してヘッド７２内の雌ねじ山８８と螺合することによって、位置決め機構８０とテーパパッド８４をヘッド７２内に制限することが可能なことである。また、他の実施例において、位置決め機構は第１実施例のように管状で、かつヘッド内にすでに接着又は溶着しており、テーパパッドをヘッド内に入れ、かつテーパパッドを位置決め機構に当接した後、ソケットをヘッドに入れ、雄ねじ山を利用してヘッド内の雌ねじ山と螺合することによって、テーパパッドをヘッド内に制限することができる。
【００２３】
図６及び図７は、それぞれ本考案の第３実施例のゴルフクラブのシャフト交換ジョイント構造の分解立体図及び本考案の第３実施例のゴルフクラブのシャフト交換ジョイント構造を応用してヘッドとシャフトを結合した断面図である。本考案の第３実施例のゴルフクラブのシャフト交換ジョイント構造１２０は、ゴルフクラブのヘッド１２２とシャフト１２４におけるシャフト交換に応用する。位置決め機構１２６と、シャフトスリーブ１２８と、スクリュー１３０と、テーパパッド１３２とを含む。
【００２４】
位置決め機構１２６は、鉄、ステンレス鋼、純チタン、チタン合金、アルミニウム又はアルミニウム合金などの材質により構成されており、かつ接着又は溶着により、ヘッド１２２に固設することができる。位置決め機構１２６の内部の一端は、テーパ溝１３４を含み、テーパ溝１３４の内径が小さい一端は、位置決め機構１２６内部においてフランジ１３６を形成し、かつフランジ１３６の内側は、少なくとも１つの位置決めブロック１３８を有する。位置決めブロック１３８はブロック状の突起である。
【００２５】
シャフトスリーブ１２８の一端はシャフト１２４に接続して固定し、他端は雄ねじ山１４０と、少なくとも１つの位置決め溝１４２とを有する。シャフトスリーブ１２８を位置決め機構１２６に入れフランジ１３６に当接する際に、位置決め溝１４２は、位置決めと固定のために、位置決めブロック１３８に対応していなければならない。また、シャフトスリーブ１２８は、シャフト１２４に対応して収容スペース１４４を有し、シャフト１２４は収容スペース１４４に入れ、かつシャフトスリーブ１２８に接着又は溶着する。
【００２６】
スクリュー１３０の外部は、テーパ１４６状をなし、位置決め機構１２６のテーパ溝１３４に対応する。スクリュー１３０の外径が小さい一端は、ねじ穴１４８を含む。スクリュー１３０のねじ穴１４８は、シャフトスリーブ１２８の雄ねじ山１４０と螺合し、シャフトスリーブ１２８のシャフト１２４に螺着して接続する。
【００２７】
テーパパッド１３２は、鉄、ステンレス鋼、純チタン、チタン合金、アルミニウム又はアルミニウム合金などの材質により構成される。テーパ１４６状のスクリュー１３０と位置決め機構１２６のテーパ溝１３４との間に置き、スクリュー１３０をきつく締めると、テーパパッド１３２はシャフト１２４とヘッド１２２の回転防止力を提供する。
【００２８】
従来技術に比べ、本考案のゴルフクラブのシャフト交換ジョイント構造は、位置決め機構を利用してシャフトスリーブの位置決めと固定を行う。またテーパパッドをテーパ状のシャフトスリーブの一端とソケットのテーパ溝との間に置くことによって、シャフトスリーブとソケットの位置決めと固定をしやすくし、回転防止力を増加させる。そのため、本考案は、従来技術における素地の変化により接続不具合が発生する状況を克服することができる。また、従来技術におけるシャフトスリーブの外表面とソケットの内表面に緊密な接触を必要とし、加工精度不良のためにヘッドとシャフトの回転防止力が大幅に低下しやすいという問題を防ぐことができる。
【００２９】
本考案は、好適な実施例を開示したが、本考案を限定するために用いるものではなく、当業者は本考案の主旨を逸脱しない範囲内において、各種の変更と修飾を行うことができるため、本考案の保護範囲は実用新案登録請求の範囲で定めたものを基準とする。
【図面の簡単な説明】
【００３０】
【図１】公知のゴルフクラブのシャフト交換ジョイント構造の概要図である。
【図２】本考案の第１実施例のゴルフクラブのシャフト交換ジョイント構造の分解立体図である。
【図３】本考案の第１実施例のゴルフクラブのシャフト交換ジョイント構造を応用しヘッドとシャフトを結合した断面図である。
【図４】本考案の第２実施例のゴルフクラブのシャフト交換ジョイント構造の分解立体図である。
【図５】本考案の第２実施例のゴルフクラブのシャフト交換ジョイント構造を応用しヘッドとシャフトを結合した断面図である。
【図６】本考案の第３実施例のゴルフクラブのシャフト交換ジョイント構造の分解立体図である。
【図７】本考案の第３実施例のゴルフクラブのシャフト交換ジョイント構造を応用しヘッドとシャフトを結合した断面図である。
【図１】
0003143145.tif 000003
【図２】
0003143145.tif 000004
【図３】
0003143145.tif 000005
【図４】
0003143145.tif 000006
【図５】
0003143145.tif 000007
【図６】
0003143145.tif 000008
【図７】
0003143145.tif 000009